(57)【要約】【課題】画像処理装置において、画像の色変更を行う場合に、ユーザの所望する色を容易に指定することができる画像処理装置等を提供する。【解決手段】制御部（１８０）とタッチパネルディスプレイ（１３０）とを備えて、画像を表示する機能を有する画像形成装置（１００）において、色変更箇所特定部（１９１）と、近似色画像生成部（１９２）と、を備え、制御部（１８０）により、画像データに基づくプレビュー画像をタッチパネルディスプレイ（１３０）に表示し、色変更箇所特定部（１９１）により表示されたプレビュー画像の特定箇所を選択し、近似色画像生成部（１９２）により選択された特定箇所の色の近似色を含む近似色画像を生成し、近似色画像から選択された色に、特定箇所を含む領域の色を変更することを特徴とするものとする。【選択図】図１
2020059160.tif 000002
【特許請求の範囲】
【請求項１】
制御部と表示部とを備えた画像処理装置において、
前記制御部は、
画像データに基づく画像を前記表示部に表示し、
表示された画像の特定箇所を選択し、
選択された特定箇所の色の近似色を示す画像を前記表示部に表示し、
前記近似色を示す画像から選択された色に、前記特定箇所を含む領域の色を変更する、
ことを特徴とする画像処理装置。
【請求項２】
前記表示部は、複数の表示領域を備え、
前記制御部は、
前記画像データに基づく画像を第１の表示領域に表示し、
前記選択された特定箇所の色の近似色を示す画像を第２の表示領域に表示する、
ことを特徴とする請求項１に記載の画像処理装置。
【請求項３】
前記制御部は、前記表示部に画像データに基づく印刷画像のプレビュー画像を表示することを特徴とする請求項１に記載の画像処理装置。
【請求項４】
前記制御部は、色変更を行う特定箇所の色から選択された色に変更するときは、前記色変更を行う特定箇所の近隣の領域の近似色を補正することを特徴とする請求項１に記載の画像処理装置。
【請求項５】
前記制御部は、色変更を行う特定箇所の近隣の領域の近似色を補正する範囲を設定可能とすることを特徴とする請求項４に記載の画像処理装置。
【請求項６】
前記制御部は、色変更を行う前記特定箇所を含む領域の範囲を示す画像を表示することを特徴とする請求項１に記載の画像処理装置。
【請求項７】
前記制御部は、色変更後の印刷画像のプレビュー画像を表示することを特徴とする請求項１に記載の画像処理装置。
【請求項８】
複数のプロファイルを備え、
色変更を行う領域毎にプロファイルを変更することを特徴とする請求項１に記載の画像処理装置。
【請求項９】
制御部と表示部とを備えた画像処理装置における画像色変更方法であって、
画像データに基づく画像を前記表示部に表示する工程と、
表示された画像の特定箇所を選択する工程と、
選択された特定箇所の色の近似色を示す画像を前記表示部に表示する工程と、
前記近似色を示す画像から選択された色に、前記特定箇所を含む領域の色を変更する工程と、
を備えることを特徴とする画像色変更方法。
【請求項１０】
制御部と表示部とを備えた画像処理装置に用いる画像色変更プログラムであって、
画像データに基づく画像を前記表示部に表示する画像表示機能と、
表示された画像の特定箇所を選択する特定箇所選択機能と、
選択された特定箇所の色の近似色を示す画像を前記表示部に表示する近似色表示機能と、
前記近似色を示す画像から選択された色に、前記特定箇所を含む領域の色を変更する色変更機能と、
をコンピュータに実現させるための画像色変更プログラム。
【発明の詳細な説明】
【技術分野】
【０００１】
本発明は、画像処理装置等に関する。
【背景技術】
【０００２】
近年、印刷する前に画像をプレビュー表示可能な表示部を備えた画像形成装置が知られている。
出力する画像の調整や出力設定を変更した場合は、表示部において、表示画面上にプレビュー表示された画像を目視で確認することにより、印刷する前に画像の仕上がりを認識することができる。
【０００３】
印刷する画像の色を変える技術として、例えば、コンピュータのモニタ画面上に元データとプリンタによる色変換後の画像をプレビュー表示し、プレビュー表示された画像を見ながら色変換アルゴリズムを選択することで、ユーザの求める色で印刷を行うようにしたものが知られている（特許文献１を参照。）。
【０００４】
しかしながら、画像形成性装置の印刷色域内であっても、ユーザの使用するモニタによっては大きく色が変わる場合があるため、色変換アルゴリズムを変更するだけでは難しい場合がある。
【０００５】
そこで、従来技術として、例えば、カラー印刷装置において、プレビュー表示器と、プレビュー表示器のプレビュー画面上において色補正対象を指定するための指定手段と、色補正対象の印刷データに対し色補正を行う色補正手段と、前記色補正手段により色補正がなされた印刷画像を印刷するカラープリンタと、を備え、ＤＴＰ編集装置から伝送された印刷データプレビュー表示器のプレビュー画面内に印刷画像をカラー表示するようにしたものが開示されている（特許文献２を参照。）。
【０００６】
これにより、ユーザは実際の印刷を行う前に、プレビュー画面を見て希望する色合いで印刷を行うことができるか否かを確認できる。
【先行技術文献】
【特許文献】
【０００７】
【特許文献１】特開平８−９１７９号公報
【特許文献２】特開平９−１９８２１７号公報
【発明の概要】
【発明が解決しようとする課題】
【０００８】
しかしながら、特許文献２に記載の技術では、色変更を行う色補正対象の色を指定する場合、色補正部として「文字の色」、「カラーパレット」、「色コントロールパネル」等により色を指定する必要があり、操作が煩雑となるという問題がある。特に、近似した色を指定するときには、色を特定することが難しいという問題がある。
【０００９】
本発明は、上記従来の課題に鑑みてなされたものであり、画像形成装置において、画像の色変更を行う場合に、ユーザの所望する色を容易に指定することができる画像形成装置等を提供することを目的とする。
【課題を解決するための手段】
【００１０】
本発明は、制御部と表示部とを備えた画像処理装置において、前記制御部により、画像データに基づく画像を前記表示部に表示し、表示された画像の特定箇所を選択し、選択された特定箇所の色の近似色を示す画像を前記表示部に表示し、前記近似色を示す画像から選択された色に、前記特定箇所を含む領域の色を変更することを特徴とするものである。
【００１１】
また、本発明は、制御部と表示部とを備えた画像処理装置における画像色変更方法であって、画像データに基づく画像を前記表示部に表示する工程と、表示された画像の特定箇所を選択する工程と、選択された特定箇所の色の近似色を示す画像を前記表示部に表示する工程と、前記近似色を示す画像から選択された色に、前記特定箇所を含む領域の色を変更する工程と、を備えることを特徴とするものである。
【００１２】
また、本発明は、制御部と表示部とを備えた画像処理装置に用いる画像色変更プログラムであって、画像データに基づく画像を前記表示部に表示する画像表示機能と、表示された画像の特定箇所を選択する特定箇所選択機能と、選択された特定箇所の色の近似色を示す画像を前記表示部に表示する近似色表示機能と、前記近似色を示す画像から選択された色に、前記特定箇所を含む領域の色を変更する色変更機能と、をコンピュータに実現させることを特徴とするものである。
【発明の効果】
【００１３】
本発明の画像処理装置によれば、制御部と表示部とを備えた画像処理装置において、前記制御部により、画像データに基づく画像を前記表示部に表示し、表示された画像の特定箇所を選択し、選択された特定箇所の色の近似色を示す画像を前記表示部に表示し、前記近似色を示す画像から選択された色に、前記特定箇所を含む領域の色を変更するようにしたことで、画像の特定箇所の色変更を行う場合に、近似色を示す画像からユーザの所望する色を容易に指定することができるユーザインタフェースに優れた画像処理装置を提供することができる。
【００１４】
また、本発明の画像色変更方法によれば、制御部と表示部とを備えた画像処理装置における画像色変更方法において、画像データに基づく画像を前記表示部に表示する工程と、表示された画像の特定箇所を選択する工程と、選択された特定箇所の色の近似色を示す画像を前記表示部に表示する工程と、前記近似色を示す画像から選択された色に、前記特定箇所を含む領域の色を変更する工程と、を備えることで、画像の色変更を行う場合に、近似色を示す画像からユーザの所望する色を容易に指定することができるユーザインタフェースに優れた画像処理装置の画像色変更方法を提供することができる。
【００１５】
また、本発明の画像色変更プログラムによれば、制御部と表示部とを備えた画像処理装置に用いる画像色変更プログラムにおいて、画像データに基づく画像を前記表示部に表示する画像表示機能と、表示された画像の特定箇所を選択する特定箇所選択機能と、選択された特定箇所の色の近似色を示す画像を前記表示部に表示する近似色表示機能と、前記近似色を示す画像から選択された色に、前記特定箇所を含む領域の色を変更する色変更領域と、をコンピュータに実現させることで、画像の色変更を行う場合に、近似色を示す画像からユーザの所望する色を容易に指定することができるユーザインタフェースに優れた画像処理装置を実現できる画像色変更プログラムを提供することができる。
【図面の簡単な説明】
【００１６】
【図１】第１実施形態に係る画像形成装置の主要部の構成を示すブロック図である。
【図２】前記画像形成装置の全体構成を示す説明図である。
【図３】（ａ）前記画像形成装置のタッチパネルディスプレイにプレビュー画像を表示する一例を示す説明図、（ｂ）は前記タッチパネルディスプレイにプレビュー画像と近似色画像を表示する一例を示す説明図、（ｃ）は前記タッチパネルディスプレイに色変更後のプレビュー画像を表示する一例を示す説明図である。
【図４】前記画像形成装置のタッチパネルディスプレイに表示されたプレビュー画像により特定箇所の色変更を行なう色変更処理の工程を示すフローチャートである。
【図５】第２実施形態に係る画像形成装置の主要部の構成を示すブロック図である。
【図６】前記画像形成装置における画像のＬａｂ色空間を２次元平面で示した説明図である。
【図７】第３実施形態に係る画像形成装置の主要部の構成を示すブロック図である。
【図８】（ａ）は前記画像形成装置のタッチパネルディスプレイにプレビュー画像を表示する一例を示す説明図、（ｂ）は前記タッチパネルディスプレイにプレビュー画像と近似色画像を表示する一例を示す説明図、（ｃ）は前記プレビュー画像の色変更を行う特定箇所を含む領域の範囲を示すマスク画像の一例を示す説明図、（ｄ）は前記タッチパネルディスプレイに色変更後のプレビュー画像を表示する一例を示す説明図である。
【図９】第４実施形態に係る画像形成装置の主要部の構成を示すブロック図である。
【図１０】（ａ）は前記画像形成装置のタッチパネルディスプレイにプレビュー画像を表示する一例を示す説明図、（ｂ）は前記タッチパネルディスプレイにプレビュー画像と近似色画像を表示する一例を示す説明図、（ｃ）は前記プレビュー画像の色変更を行う特定箇所のプロファイルを示す画像の一例を示す説明図、（ｄ）は前記タッチパネルディスプレイに色変更後のプレビュー画像を表示する一例を示す説明図である。
【発明を実施するための形態】
【００１７】
（第１実施形態）
以下、本発明の実施形態について図面を参照して説明する。
図１は第１実施形態に係る画像形成装置の主要部の構成を示すブロック図、図２は前記画像形成装置の全体構成を示す説明図である。
【００１８】
第１実施形態は、図１に示すように、画像処理装置としての一態様である画像形成装置１００であって、画像形成装置１００の構成として、画像データを入力する原稿読取部１１０と、タッチパネルディスプレイ（表示部）１３０を備える操作ユニット１２０と、記憶部１５０と、前記画像データに基づいて画像を生成する画像生成部１６０と、前記画像データに基づいて生成された画像をプレビュー画像として出力する画像出力部１７０と、当該画像形成装置１００の各部の処理動作を制御する制御部１８０と、を備えるものである。
【００１９】
制御部１８０は、タッチパネルディスプレイ１３０に画像データに基づくプレビュー画像を表示する。そして、当該プレビュー画像においてユーザに特定された箇所（特定箇所）を選択する。そして、選択された特定箇所の色の近似色を含む近似色画像をタッチパネルディスプレイ１３０に表示する。そして、近似色画像からユーザによって選択された色に特定箇所を含む領域の色を変更することを特徴とするものである。
【００２０】
（画像形成装置の構成）
ここで、第１実施形態に係る画像形成装置１００の基本的な構成について説明する。
本発明に係る構成の適用は、このような画像形成装置以外の画像処理装置または電子機器であっても構わない。
【００２１】
画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００２２】
画像形成装置１００は、図２に示すように、主に、原稿読取部１１０、画像形成部１０４、給紙部１０６、排紙処理装置１０８、操作ユニット１２０等を備える。
【００２３】
操作ユニット１２０は、タッチパネルディスプレイ１３０と表示操作部１４０とで構成される。タッチパネルディスプレイ１３０は、液晶パネル等で構成された表示パネル１３２とタッチパネル１３４とで構成される。
【００２４】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。
【００２５】
表示パネル１３２のプレビュー表示領域上には、ソフトウェアボタンである選択ボタンが表示されている。この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作に加えて、上述したジェスチャー操作にも対応している。
【００２６】
表示操作部１４０は、表示灯１４２と、電源キー１４４と、省エネルギーキー（以下「省エネキー」と記載）１４６と、動作モードを選択するホーム画面へタッチパネルディスプレイ１３０の表示画面を戻すためのホームキー１４８とで構成される。
【００２７】
このように画像形成装置１００は、主たる操作デバイスとしてタッチパネルディスプレイ１３０を備えるとともに、ハードウェアキーおよび表示灯１４２により構成される表示操作部１４０を備える。表示操作部１４０のキーは、タッチパネルディスプレイ１３０により構成されるソフトウェアボタンと対比して、ハードウェアボタンとして構成される。
【００２８】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。
【００２９】
記憶部１５０には、この画像形成装置１００でスキャンした原稿の画像データが記憶される。また、記憶部１５０には、画像形成装置１００の動作を制御するのに必要なプログラムおよびデータ等が記憶されている。
【００３０】
制御部１８０は、記憶部１５０に記憶されているプログラムおよびデータに従って画像形成装置１００の制御を行なうとともに画像形成装置１００の各機能に関する制御を実行する。
【００３１】
（画像形成装置の特徴的な構成）
次に、第１実施形態に係る画像形成装置１００の特徴的な構成について図面を参照して説明する。
第１実施形態に係る画像形成装置１００は、図１に示すように、上述した原稿読取部１１０、操作ユニット１２０、記憶部１５０、画像生成部１６０、画像出力部１７０および制御部１８０という構成に加えて、さらに、色変更箇所特定部１９１と、近似色画像生成部１９２と、を備えることを特徴としている。
【００３２】
制御部１８０は、画像形成装置１００の各機能に関する制御に加えて、操作ユニット１２０のタッチパネルディスプレイ１３０に表示される画像の色変更を行う制御を行うことを特徴とする。
【００３３】
色変更箇所特定部１９１は、操作ユニット１２０のタッチパネルディスプレイ１３０に表示されたプレビュー画像の特定箇所を選択する。
近似色画像生成部１９２は、選択された特定箇所の色の近似色を含む近似色画像を生成する。
【００３４】
第１実施形態では、制御部１８０は、色変更箇所特定部１９１により、ユーザによりプレビュー画像において選択れた箇所の色を変更する色として特定することを特徴としている。
【００３５】
また、制御部１８０は、近似色画像生成部１９２により生成された近似色画像をタッチパネルディスプレイ１３０に表示することを特徴としている。
【００３６】
また、制御部１８０は、近似色画像から選択された色に、ユーザに特定された特定箇所を含む領域の色を変更することを特徴としている。
【００３７】
さらに、制御部１８０は、色変更後の印刷画像のプレビュー画像をタッチパネルディスプレイ１３０に表示することを特徴とている。
【００３８】
（画像の色変更を行う操作）
次に、第１実施形態に係る画像形成装置１００において、画像の特定箇所の色変更を行う場合について、図面を参照して説明する。
図３の（ａ）は第１実施形態に係る画像形成装置のタッチパネルディスプレイにプレビュー画像を表示する一例を示す説明図、（ｂ）は前記タッチパネルディスプレイにプレビュー画像と近似色画像を表示する一例を示す説明図、（ｃ）は前記タッチパネルディスプレイに色変更後のプレビュー画像を表示する一例を示す説明図である。
【００３９】
出力画像（印刷画像）の特定箇所の色変更を行う場合は、図３（ａ）に示すように、タッチパネルディスプレイ１３０に画像データに基づくプレビュー画像１３１０を表示して、プレビュー画像１３１０において色変更を行う箇所を特定して行う。
【００４０】
第１実施形態では、タッチパネルディスプレイ１３０にプレビュー画像１３１０を表示する場合は、プレビュー画像を表示する第１の表示領域１３０１を設けて、第１の表示領域１３０１にプレビュー画像１３１０を表示している。
【００４１】
プレビュー画像１３１０は、画像データに基づいて画像生成部１６０により生成されたプレビュー画像である。なお、タッチパネルディスプレイ１３０に表示するプレビュー画像は、画像データに基づき予測される印刷される画像のプレビュー画像であってもよい。
【００４２】
プレビュー画像１３１０において、ユーザにより色変更を行う箇所が特定されると、タッチパネルディスプレイ１３０には、図３（ｂ）に示すように、ユーザにより特定された特定箇所１３１１の色の近似色を含む近似色画像１３２０が表示される。
近似色画像１３２０は、予め設定された範囲の近似色が表示されている。
【００４３】
第１実施形態では、タッチパネルディスプレイ１３０に近似色画像１３２０を表示する場合は、近似色画像を表示する第２の表示領域１３０２を設けて、第２の表示領域１３０２に近似色画像１３２０を表示している。
【００４４】
図３（ｂ）に示すように、近似色画像１３２０において、ユーザによって所望の色（目的色）１３２２が選択されると、図３（ｃ）に示すように、タッチパネルディスプレイ１３０には、色変更された出力画像のプレビュー画像１３３０が表示される。
図３（ｂ）の符号１３２１はユーザに特定された箇所の色を示す。
【００４５】
第１実施形態では、第１の表示領域１３０１にプレビュー画像１３１０に換わって色変更された出力画像のプレビュー画像１３３０が表示される。
【００４６】
なお、色変更された出力画像のプレビュー画像１３３０を表示する場合、タッチパネルディスプレイ１３０に第３の表示領域を設けて、第３の表示領域に色変更された出力画像の当該プレビュー画像１３３０を表示するようにしてもよい。
【００４７】
（色変更の動作処理）
次に、第１実施形態に係る画像形成装置１００において、タッチパネルディスプレイ１３０に表示されたプレビュー画像の特定箇所の色変更を行なう処理について、フローチャートに沿って説明する。
図４は第１実施形態の画像形成装置のタッチパネルディスプレイに表示されたプレビュー画像により特定箇所の色変更を行なう色変更処理の工程を示すフローチャートである。
【００４８】
第１実施形態の画像形成装置１００において、タッチパネルディスプレイ１３０に表示されるプレビュー画像の特定箇所の色変更を行う場合は、図４に示すように、まず、原稿から画像を読取る（ステップＳ１）。読取った画像データは記憶部１５０に記憶される。
【００４９】
そして、画像データに基づきプレビュー画像１３１０が生成され（ステップＳ３）、生成されたプレビュー画像１３１０はタッチパネルディスプレイ１３０の第１の表示領域１３０１に表示される（ステップＳ５）。
【００５０】
そして、画像の色変更をするか否かが判定（選択）される（ステップＳ７）。
ステップＳ７において、画像の色変更をしないと判定された場合は、色変更処理は終了する。一方、ステップＳ７において、画像の色変更をすると判定された場合は、プレビュー画像１３１０において色変更を行なう箇所を特定する（ステップＳ９）。
【００５１】
ステップＳ９において、色変更箇所特定部１９１によりプレビュー画像１３１０において色変更を行う箇所が特定される。
【００５２】
そして、近似色画像生成部１９２において、その特定箇所の色に対応する近似色を含む近似色画像１３２０が生成される（ステップＳ１０）。そして、近似色画像１３２０が第２の表示領域１３０２に表示される（ステップＳ１１）。
【００５３】
そして、近似色画像１３２０においてユーザにより変更する色が特定されると（ステップＳ１３）、色変更を行なう領域の色を指定された色に変更する（ステップＳ１５）。
そして、タッチパネルディスプレイ１３０上に色変更後のプレビュー画像１３３０が表示される（ステップＳ１７）。
このようにして、画像の色変更処理が実行される。
【００５４】
以上のように構成したので、第１実施形態によれば、画像形成装置１００において、原稿読取部１１０と、タッチパネルディスプレイ１３０と、記憶部１５０と、画像生成部１６０と、画像出力部１７０と、制御部１８０と、を備え、さらに、色変更箇所特定部１９１と、近似色画像生成部１９２と、を備え、制御部１８０により、プレビュー画像１３１０をタッチパネルディスプレイ１３０に表示し、色変更箇所特定部１９１により色変更を行うプレビュー画像１３１０の特定箇所を選択し、近似色画像生成部１９２により生成された近似色画像１３２０をタッチパネルディスプレイ１３０に表示し、近似色画像１３２０から選択された色に、前記特定箇所を含む領域の色を変更することができる。これにより、画像の特定箇所の色変更を行う場合に、近似色画像１３２０からユーザの所望する色を容易に指定することができ、ユーザインタフェースに優れた画像形成装置を提供することができる。
【００５５】
また、第１実施形態では、色変更後の印刷画像のプレビュー画像１３３０をタッチパネルディスプレイ１３０に表示するようにしたことで、印刷する前に色変更した印刷画像を確認することができるので、無駄に印刷することなくユーザの所望する色変更を行うことができる。
【００５６】
（第２実施形態）
次に、第２実施形態について説明する。
第２実施形態は、画像形成装置において画像の色変更を行う場合、色変更を行う特定箇所の色から選択された色に変更するときに、色変更を行う特定箇所の近隣の領域の近似色を補正することを特徴とするものである。
【００５７】
また、第２実施形態では、色変更を行う特定箇所の近隣の領域の近似色を補正する範囲を設定可能とすることを特徴としている。
【００５８】
図５は第２実施形態に係る画像形成装置の主要部の構成を示すブロック図、図６は前記画像形成装置における画像のＬａｂ色空間を２次元平面で示した説明図である。
なお、第２実施形態に係る画像形成装置の構成は、第１実施形態の画像形成装置と同様な構成を有するものは同一の符号を付することで説明を省略する。
【００５９】
第２実施形態に係る画像形成装置２００は、図５に示すように、第１実施形態に係る画像形成装置１００の構成に加えて、さらに、近似色補正領域設定部２９３を備えることを特徴とするものである。
【００６０】
近似色補正領域設定部２９３は、色変更を行う特定箇所の近隣の領域の近似色を補正する。そして、近似色補正領域設定部２９３は、色変更を行う特定箇所の近隣の近似色を補正する領域（以下、「近似色補正領域」と称する。）の範囲を設定する。
近似色補正領域における色の補正の一例を以下に示す。
【００６１】
Lab表色系の色空間（Ｌ，ａ，ｂ）で示すと、図６に示すように、色を変えたい点Ａ、変えた後の点Ｂ、近似色の点Ｃは、それぞれ以下のようになる。
色を変えたい点：Ａ（Ｌ１，ａ１，ｂ１）
変えた後の点：Ｂ（Ｌ２，ａ２，ｂ２）
近似色の点：Ｃ（Ｌ３，ａ３，ｂ３）
【００６２】
どの範囲まで、色を補正するかを示す補正幅を「Ｎ」とすると、
ＡとＣの色空間上の距離Ｘは、
【数１】
2020059160.tif 000003
点Ｃの補正による変化量ΔＣ（ΔＬ，Δａ，Δｂ）は、
【数２】
2020059160.tif 000004
【数３】
2020059160.tif 000005
【数４】
2020059160.tif 000006
【数５】
2020059160.tif 000007
また、複数の点の色を変えた場合の補正は、
色を変えたい点をＡ１（ＬＡ１，ａＡ１，ｂＡ１），Ａ２（ＬＡ２，ａＡ２，ｂＡ２）・・・、
色を変えた後の点をＢ１（ＬＢ１，ａＢ１，ｂＢ１），Ｂ２（ＬＢ２，ａＢ２，ｂＢ２）・・・、
Ａ１，Ａ２，・・・の近似色Ｃとの距離をＸ１，Ｘ２・・・、
とすると、
Ｘｉ＞Ｎの点ＡｉのＣとの距離Ｘｉを除いてＳは以下のようになる。
【数６】
2020059160.tif 000008
点Ｃの補正による変化量ΔＣ（ΔＬ，Δａ，Δｂ）は、
【数７】
2020059160.tif 000009
【数８】
2020059160.tif 000010
【数９】
2020059160.tif 000011
となる。
【００６３】
以上のように構成したので、第２実施形態によれば、画像形成装置２００において、画像形成装置１００の構成に、さらに、近似色補正領域設定部２９３を備えることで、画像の色変更を行う場合、色変更を行う特定箇所の近隣の領域の近似色を補正することができる。
【００６４】
さらに、第２実施形態によれば、近似色補正領域設定部２９３により、近似色補正領域の範囲を設定するようにしたことで、色変更を行う近似色の領域の大きさに応じて近似色補正領域の範囲を容易に設定することができる。
【００６５】
（第３実施形態）
次に、第３実施形態について説明する。
第３実施形態は、画像形成装置において画像の色変更を行う場合、色変更を行う特定箇所を含む領域の範囲を示す画像、いわゆる「マスク画像」を表示することを特徴とするものである。
【００６６】
図７は第３実施形態に係る画像形成装置の主要部の構成を示すブロック図、図８の（ａ）は前記画像形成装置のタッチパネルディスプレイにプレビュー画像を表示する一例を示す説明図、（ｂ）は前記タッチパネルディスプレイにプレビュー画像と近似色画像を表示する一例を示す説明図、（ｃ）は前記プレビュー画像の色変更を行う特定箇所を含む領域の範囲を示すマスク画像の一例を示す説明図、（ｄ）は前記タッチパネルディスプレイに色変更後のプレビュー画像を表示する一例を示す説明図である。
なお、第３実施形態に係る画像形成装置の構成は、第１実施形態の画像形成装置と同様な構成を有するものは同一の符号を付することで説明を省略する。
【００６７】
（画像形成装置の特徴的な構成）
第３実施形態に係る画像形成装置３００は、図７に示すように、第１実施形態に係る画像形成装置１００の構成に加えて、さらに、マスク画像生成部３９３を備えることを特徴とするものである。
【００６８】
マスク画像生成部３９３は、色変更を行う特定箇所を含む領域の範囲を示す画像、いわゆる「マスク画像」を生成する。
【００６９】
第３実施形態では、出力画像（印刷画像）の特定箇所の色変更を行う場合は、第１実施形態と同様に、図８（ａ）に示すように、タッチパネルディスプレイ１３０に画像データに基づくプレビュー画像１３１０を表示して、プレビュー画像１３１０において色変更を行う箇所を特定して行う。
【００７０】
タッチパネルディスプレイ１３０にプレビュー画像１３１０を表示する場合は、プレビュー画像を表示する第１の表示領域１３０１を設けて、第１の表示領域１３０１にプレビュー画像１３１０を表示している。
【００７１】
プレビュー画像１３１０は、画像データに基づいて画像生成部１６０により生成されたプレビュー画像である。なお、タッチパネルディスプレイ１３０に表示するプレビュー画像は、画像データに基づき予測される印刷される画像のプレビュー画像であってもよい。
【００７２】
プレビュー画像１３１０において、ユーザにより色変更を行う箇所が特定されると、タッチパネルディスプレイ１３０には、図８（ｂ）に示すように、ユーザにより特定された特定箇所１３１１の色の近似色を含む近似色画像１３２０が表示される。
近似色画像１３２０は、予め設定された範囲の近似色が表示されている。
【００７３】
そして、第３実施形態では、図８（ｃ）に示すように、プレビュー画像１３１０における色変更を行う特定箇所１３１１を含む色変更領域１３４１の範囲を示すマスク画像１３４０を表示する。
【００７４】
マスク画像１３４０の表示は、図８（ａ）に示すプレビュー画像１３１０と同時に表示するようにしてもよい。また、図８（ｂ）に示すプレビュー画像１３１０及び近似色画像１３２０と同時に表示するようにしてもよい。
【００７５】
また、マスク画像１３４０の表示は、透過表示（例えば、半透明表示）するように構成することで、元のプレビュー画像１３１０に重畳表示することで、元のプレビュー画像１３１０を透過表示するようにしてもよい。
【００７６】
また、第３実施形態では、第１実施形態と同様に、第１の表示領域１３０１にプレビュー画像１３１０に換わって色変更された出力画像のプレビュー画像１３３０を表示するようにしてもよい。
【００７７】
以上のように構成したので、第３実施形態によれば、画像形成装置３００において、マスク画像生成部３９３を備えることで、タッチパネルディスプレイ１３０上でプレビュー画像１３１０において色変更が行われる特定箇所をマスク画像１３４０により明確にすることができるので、色変更を行う特定箇所を容易に確認することができる。
【００７８】
（第４実施形態）
次に、本発明の第４実施形態について説明する。
第４実施形態は、画像形成装置１００において、出力画像に複数のプロファイルを備え、色変更を行う領域毎にプロファイルを変更することを特徴とするものである。
【００７９】
図９は第４実施形態に係る画像形成装置の主要部の構成を示すブロック図、図１０の（ａ）は前記画像形成装置のタッチパネルディスプレイにプレビュー画像を表示する一例を示す説明図、（ｂ）は前記タッチパネルディスプレイにプレビュー画像と近似色画像を表示する一例を示す説明図、（ｃ）は前記プレビュー画像の色変更を行う特定箇所のプロファイルを示す画像の一例を示す説明図、（ｄ）は前記タッチパネルディスプレイに色変更後のプレビュー画像を表示する一例を示す説明図である。
なお、第４実施形態に係る画像形成装置の構成は、第１実施形態の画像形成装置と同様な構成を有するものは同一の符号を付することで説明を省略する。
（画像形成装置の特徴的な構成）
第４実施形態に係る画像形成装置４００は、図９に示すように、第１実施形態に係る画像形成装置１００の構成に加えて、さらに、プロファイル画像生成部４９３を備えることを特徴とするものである。
【００８０】
プロファイル画像生成部４９３は、色変更を行う特定箇所に対応してプロファイル画像を生成する。
【００８１】
第４実施形態では、出力画像（印刷画像）の特定箇所の色変更を行う場合は、第１実施形態と同様に、図１０（ａ）に示すように、タッチパネルディスプレイ１３０に画像データに基づくプレビュー画像１３１０を表示して、プレビュー画像１３１０において色変更を行う箇所を特定して行う。
【００８２】
タッチパネルディスプレイ１３０にプレビュー画像１３１０を表示する場合は、プレビュー画像を表示する第１の表示領域１３０１を設けて、第１の表示領域１３０１にプレビュー画像１３１０を表示している。
【００８３】
プレビュー画像１３１０は、画像データに基づいて画像生成部１６０により生成されたプレビュー画像である。なお、タッチパネルディスプレイ１３０に表示するプレビュー画像は、画像データに基づき予測される印刷される画像のプレビュー画像であってもよい。
【００８４】
プレビュー画像１３１０において、ユーザにより色変更を行う箇所が特定されると、タッチパネルディスプレイ１３０には、図１０（ｂ）に示すように、ユーザにより特定された特定箇所１３１１の色の近似色を含む近似色画像１３２０が表示される。
近似色画像１３２０は、予め設定された範囲の近似色が表示されている。
【００８５】
そして、第４実施形態では、図１０（ｃ）に示すように、プレビュー画像１３１０における色変更を行う特定箇所１３１１に対応して、特定箇所１３１１の画像領域１３５２含むプロファイル画像１３５０を表示する。
【００８６】
プロファイル画像１３５０の表示は、プロファイル画像生成部４９３により、色変更を行う特定された箇所に対応して生成される。図１０（ｃ）では、プレビュー画像１３１０の顔の部分の領域１３１２に対応した画像領域１３５２含むプロファイル画像１３５０が生成されている。
【００８７】
例えば、プレビュー画像１３１０の顔の部分の領域１３１２と背景のように大きく色が変化する境界でプロファイルを分けるようにしてもよい。また、色変更が行われた部分からの画像上の距離や、色の類似具合等で閾値を決定するようにしてもよい。
【００８８】
また、第４実施形態では、第１実施形態と同様に、第１の表示領域１３０１にプレビュー画像１３１０に換わって色変更された出力画像のプレビュー画像１３３０を表示するようにしてもよい。
【００８９】
以上のように構成したので、第４実施形態によれば、画像形成装置４００において、プロファイル画像生成部４９３を備えることで、タッチパネルディスプレイ１３０上でプレビュー画像１３１０において色変更が行われる特定箇所を複数箇所に特定した場合であって、色変更が行われる特定箇所に応じてプロファイル画像を複数生成して表示することができるので、色変更が行われる特定箇所をそれぞれ明確にすることができる。これにより、色変更を行う特定箇所を容易に確認することができる。
【００９０】
なお、上述した実施形態では、表示された画像の色変更を行う画像処理装置の一態様として画像形成装置を例に挙げて説明したが、例えば、モニタ（表示部）を備えるＰＣ（パーソナルコンピュータ）等の端末機に上述した技術を採用して、プリンタ（画像形成装置）から印刷を行う前に、印刷画像の画像データをモニタの画面に表示して、モニタの画面上で画像データの色変更を行うようにしてもよい。
【００９１】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【００９２】
１００，２００，３００，４００  画像形成装置（画像処理装置）
１３０  タッチパネルディスプレイ（表示部）
１５０  記憶部
１６０  画像生成部
１７０  画像出力部
１８０  制御部
１９１  色変更箇所特定部
１９２  近似色画像生成部
２９３  近似色補正領域設定部
３９３  マスク画像生成部
４９３  プロファイル画像生成部
１３０１  第１の表示領域
１３０２  第２の表示領域
１３１０，１３３０  プレビュー画像
１３１１  特定箇所
１３１２  領域
１３２０  近似色画像
１３４０  マスク画像
１３４１  色変更領域
１３５０  プロファイル画像
１３５２  画像領域
【図１】
2020059160.tif 000012
【図２】
2020059160.tif 000013
【図３】
2020059160.tif 000014
【図４】
2020059160.tif 000015
【図５】
2020059160.tif 000016
【図６】
2020059160.tif 000017
【図７】
2020059160.tif 000018
【図８】
2020059160.tif 000019
【図９】
2020059160.tif 000020
【図１０】
2020059160.tif 000021